(57)【要約】    【課題】      表示画面を転送先表示装置の表示画面に表示させる場合に、ＣＰＵの処理負担を少なくできかつ画像を安定して表示することができるようにすること。    【解決手段】  無線通信装置１００は、アプリＣＰＵ１１０、メモリ１２０、ＬＣＤ１３０、ビデオ出力ＬＳＩ専用メモリ１４０、ビデオ出力ＬＳＩ１５０を有する。アプリＣＰＵ１１０は、メモリ１２０に格納されている画像データ（主に静止画）を読み出し、このメモリ１２０から読み出した画像データを転送元の表示装置であるＬＣＤ１３０、およびビデオ出力ＬＳＩ１５０に転送する。ビデオ出力ＬＳＩ１５０の補間部２０９は、テレビジョン装置３００のテレビ画面３０２の縦４８０ラインまで転送画像を拡大し、この転送画像の縦サイズと同じ拡大率で転送画像の横サイズを拡大補間する。  【選択図】      図１
2006067003.tif 000002
【特許請求の範囲】
【請求項１】
画像信号を転送する転送手段と、
前記転送手段により転送される前記画像信号をコンポジットビデオ信号に変換して出力するビデオ信号出力手段と、
前記転送手段が転送する転送元表示装置の表示画面の縦横サイズの比率が、転送先表示装置の表示画面の縦横サイズの比率に合わない場合に、前記転送先表示装置の表示画面の大きさに対応するように転送画像を拡大処理し、前記転送画像の縦サイズと同じ拡大率で前記転送画像の横サイズを拡大補間する補間手段と、を具備する無線通信装置。
【請求項２】
前記転送手段から出力され、前記転送先表示装置の表示画面の前記画像信号を表示しない部分のスペースの色および絵柄を変化させるコマンドを有する請求項１記載の無線通信装置。
【請求項３】
前記転送手段から出力され、前記転送先表示装置の表示画面の拡大率を変更できるコマンドを有する請求項１記載の無線通信装置。
【請求項４】
前記転送手段から出力され、前記転送先表示装置の表示画面の出力領域を指定することができるコマンドを有する請求項１記載の無線通信装置。
【請求項５】
前記転送手段から出力され、前記転送先表示装置の表示画面の表示位置を縦方向および横方向に移動できるライン数を指定できるコマンドを有する請求項１記載の無線通信装置。
【請求項６】
前記転送先表示装置の品番を指定することにより前記転送先表示装置の表示画面の画面サイズ情報をダウンロードして、前記拡大率または前記移動ライン数の最適なパラーメータ値をコマンドとして前記転送手段から前記ビデオ信号出力手段に転送する請求項３または請求項５記載の無線通信装置。
【発明の詳細な説明】
【技術分野】
【０００１】
本発明は、携帯電話装置などの無線通信装置に関し、詳しくは、ＲＧＢバスまたはＣＰＵバスインターフェースを介して入力される画像データを表示する無線通信装置に関する。
【背景技術】
【０００２】
従来、携帯電話装置などの無線通信装置においては、備え付けのＬＣＤ（Liquid Crystal Display）のようなディスプレイ装置の表示画面に画像データを出力することでユーザーインターフェースを確立する技術が実現されている。この種の無線通信装置においては、装置本体のサイズに合わせた表示画面に画像データが出力されるため、画像の見やすさおよび判りやすさが表示画面サイズに左右される。
【０００３】
このため、携帯電話装置などのように表示画面サイズが小さな無線通信装置では、画像の見やすさおよび判りやすさとういう面での制約を余儀なくされていた。
【０００４】
従来、このような小型な無線通信装置の表示画面に出力される画像をテレビジョン画面に大きく表示して見やすくかつ判りやすくする方法が知られている（例えば、特許文献１および特許文献２など参照）。
【特許文献１】特開２００２−３１４６４６号公報
【特許文献２】特開２００４−５６６５３号公報
【発明の開示】
【発明が解決しようとする課題】
【０００５】
ところで、特許文献１または特許文献２記載の無線通信装置においては、そのＣＰＵ（Central Processing Unit）は、ＲＧＢバスまたはＣＰＵバスインターフェースを介して入力される画像データをコンポジットビデオ信号に変換してテレビジョン装置に出力させることが考えられる。
【０００６】
しかしながら、このような構成の無線通信装置では、そのＣＰＵの処理負担が増大し、安定した処理が妨げられるという問題がある。
【０００７】
このため、この種の無線通信装置においては、自己の表示画面に出力される画像データを既存の表示画面とは違うテレビジョン装置などの転送先表示装置の表示画面に出力してユーザーインターフェースを確立する場合に、ＣＰＵの負荷を少しでも少なくするとともに、画像を安定して表示することが望まれている。
【０００８】
本発明は、かかる点に鑑みてなされたもので、表示画面を転送先表示装置の表示画面に表示させる場合に、ＣＰＵの処理負担を少なくできかつ画像を安定して表示することができる無線通信装置を提供することを目的とする。
【課題を解決するための手段】
【０００９】
かかる課題を解決するため、本発明の無線通信装置は、画像信号を転送する転送手段と、前記転送手段により転送される前記画像信号をコンポジットビデオ信号に変換して出力するビデオ信号出力手段と、前記転送手段が転送する転送元表示装置の表示画面の縦横サイズの比率が、転送先表示装置の表示画面の縦横サイズの比率に合わない場合に、前記転送先表示装置の表示画面の大きさに対応するように転送画像を拡大処理し、前記転送画像の縦サイズと同じ拡大率で前記転送画像の横サイズを拡大補間する補間手段と、を具備する構成を採る。
【発明の効果】
【００１０】
本発明によれば、表示画面に出力される画像データを転送先表示装置の表示画面に出力してユーザーインターフェースを確立する場合に、ＣＰＵの処理負担を少なくすることができ、かつ画像を安定して表示することができる。
【発明を実施するための最良の形態】
【００１１】
以下、本発明の実施の形態に係る無線通信装置ついて、図面を参照して詳細に説明する。なお、各図において同一の構成または機能を有する構成要素及び相当部分には、同一の符号を付してその説明は繰り返さない。
【００１２】
（実施の形態１）
図１は、本発明の実施の形態１に係る無線通信装置の構成を示すブロック図である。
【００１３】
図１に示すように、本実施の形態１に係る無線通信装置１００は、アプリＣＰＵ１１０、メモリ１２０、ＬＣＤ１３０、ビデオ出力ＬＳＩ専用メモリ１４０、ビデオ出力ＬＳＩ（Large Scale Integration）１５０を有する。
【００１４】
図１において、アプリＣＰＵ１１０は、メモリ１２０に格納されている画像データ（主に静止画）を読み出し、このメモリ１２０から読み出した画像データを転送元の表示装置であるＬＣＤ１３０、およびビデオ出力ＬＳＩ１５０に転送する。
【００１５】
図２は、本発明の実施の形態１に係る無線通信装置のビデオ出力ＬＳＩ１５０の構成を示すブロック図である。
【００１６】
図２に示すように、無線通信装置１００のビデオ出力ＬＳＩ１５０は、外部インターフェース部２０１、画像変換部２０２、エンコーダ部２０３、ＤＡ変換部２０４、ビデオアンプ部２０５、タイミング生成部２０６、制御部２０７、電源部２０８、補間部２０９、メモリ制御部２１０を有する。
【００１７】
図２において、外部インターフェース部２０１には、外部ホストプロセッサ（ここでは、アプリＣＰＵ１１０）からのＣＰＵ（ＬＣＤ）バスから入力される画像データ、水平垂直同期信号が入力される。
【００１８】
また、外部インターフェース部２０１は、ＣＰＵ（ＬＣＤ）バス上のコマンドを介してアプリＣＰＵ１１０から入力される各種コマンドに基づいて制御部２０７に対する制御や、各種設定を行う。
【００１９】
画像変換部２０２は、外部インターフェース部２０１から入力される画像データをマトリックス回路により輝度信号と色差信号に変換し、メモリ制御部２１０に出力する。
【００２０】
メモリ制御部２１０は、画像変換部２０２から入力される変換された画像データをビデオ出力ＬＳＩ専用メモリ１４０に出力して書き込む。
【００２１】
また、メモリ制御部２１０は、ビデオ出力ＬＳＩ専用メモリ１４０に書き込まれた画像データを読み込み、補間部２０９にその画像データを出力する。補間部２０９は、メモリ制御部２１０からの画像データが入力された後、転送先の表示装置の画面の大きさに対応する拡大処理（補間処理）を行い、エンコーダ部２０３にその画像データを出力する。
【００２２】
エンコーダ部２０３は、人間の眼が画面の細かい部分においては、オレンジ色や肌色付近以外の色を感じなくなるという特性から、補間部２０９から入力される色差信号の伝送帯域にそれぞれ制限をかけ、これを搬送波抑圧直角二相変調し、輝度信号に多重する処理を行い、ＤＡ変換部２０４にデジタルビデオ信号として出力する。
【００２３】
ここで、補間部２０９の拡大処理に際しては、無線通信装置１００の表示画面サイズに合った出力画像を、転送先表示装置としてのテレビジョン装置などの表示画面サイズに拡大する必要がある。
【００２４】
図３は、本実施の形態１に係る無線通信装置の表示画面サイズとテレビ出力画面サイズとの関係を示す図である。図３において、無線通信装置１００は、ＡＶケーブル３０１を介してテレビジョン装置３００に接続される。図３は、無線通信装置１００のＬＣＤ１３０の縦横サイズの比率が、テレビジョン装置３００のテレビ画面３０２の縦横サイズの比率に合わない場合のテレビ出力画像を示している。
【００２５】
図３に示すように、無線通信装置１００のビデオ出力ＬＳＩ１５０の補間部２０９は、テレビジョン装置３００のテレビ画面３０２の縦４８０ラインまで転送画像を拡大し、この転送画像の縦サイズと同じ拡大率で転送画像の横サイズを拡大補間する。
【００２６】
なお、テレビジョン装置３００は、テレビ出力画像の縦サイズと横サイズとの比が、通常のもので３：４であり、ワイドテレビで９：１６である。従って、例えば、縦３２０ライン、横２４０ラインのＱＶＧＡサイズのような縦に長い画像を、テレビ画面３０２の縦４８０ラインに合わせて拡大すると、テレビ画面３０２の左右にスペース（非画像領域）３０３ができる。本実施の形態１に係る無線通信装置１００では、このスペース３０３を黒く塗りつぶすようにしている。
【００２７】
このように、本実施の形態１に係る無線通信装置１００においては、そのＬＣＤ１３０の表示画面サイズが縦に長い場合でも、ＬＣＤ１３０の表示画面の縦横サイズの比率に合った転送画像をテレビ画面３０２に表示することができるようになる。
【００２８】
また、本実施の形態１に係る無線通信装置１００においては、ビデオ出力ＬＳＩ１５０の補間部２０９がテレビジョン装置３００のテレビ画面３０２の縦４８０ラインまで画像データを拡大し、画像データの縦サイズと同じ拡大率で画像データの横サイズを拡大補間するので、アプリＣＰＵ１１０の処理負担を少なくでき、かつ画像を安定して表示することができるようになる。
【００２９】
（実施の形態２）
次に、本発明の実施の形態２に係る無線通信装置について説明する。実施の形態１に係る無線通信装置１００における外部インターフェース部２０１は、ＣＰＵ（ＬＣＤ）バス上のコマンドを介してアプリＣＰＵ１１０から入力される各種コマンドを受けることができる。
【００３０】
そこで、本実施の形態２に係る無線通信装置においては、アプリＣＰＵ１１０から入力される各種コマンドの内、図３に示したスペース３０３の色や絵柄を変えられるコマンドを設けるようにする。
【００３１】
これにより、本実施の形態２に係る無線通信装置では、アプリＣＰＵ１１０からのコマンドに応じて、補間部２０９がテレビ画面３０２の左右のスペース３０３の色や絵柄を変化させることできるようになる。
【００３２】
従って、本実施の形態２に係る無線通信装置によれば、アプリＣＰＵ（ＬＣＤ）バス上のコマンドを介するだけで、アプリＣＰＵ１１０に負荷をかけることなく、簡単にテレビ画面３０２の左右のスペース３０３の色や絵柄を変化させることができる。
【００３３】
（実施の形態３）
次に、本発明の実施の形態３に係る無線通信装置について説明する。実施の形態１に係る無線通信装置１００においては、補間部２０９によりテレビジョン装置３００のテレビ画面３０２の縦４８０ラインまで画像データを拡大し、縦サイズと同じ拡大率で横サイズも拡大補間することで、より大きな転送画像を出力することができる。
【００３４】
しかしながら、一般的なテレビジョン装置は、縦サイズが４１０〜４６０ライン程度のテレビ出力画像しか表示することができない。
【００３５】
このため、上述のような無線通信装置１００の表示画面サイズに合った画像を、一般的なテレビジョン装置のテレビ画面に出力させると、無線通信装置１００の表示画面であるＬＣＤ１３０に表示されているアンテナなど画面端にレイアウトされた絵がテレビ画面外にはみ出してしまうという現象（以下、このような現象を「画面切れ」という）が生じるという問題がある。
【００３６】
そこで、本実施の形態３に係る無線通信装置においては、アプリＣＰＵ１１０から入力される各種コマンドの内、拡大倍率を変えられるコマンドを設ける。
【００３７】
これにより、本実施の形態３に係る無線通信装置では、アプリＣＰＵ１１０からのコマンドに応じて、補間部２０９により転送画像の画像サイズを変更できるようになる。
【００３８】
従って、本実施の形態３に係る無線通信装置によれば、ＣＰＵ（ＬＣＤ）バス上のコマンドを介するだけで、アプリＣＰＵ１１０に負荷をかけることなく、簡単に転送画像の拡大率を変更できるようになり、前記画面切れの問題を解消することができる。
【００３９】
（実施の形態４）
次に、本発明の実施の形態４に係る無線通信装置について説明する。本実施の形態４に係る無線通信装置では、アプリＣＰＵ１１０から入力される各種コマンドの内、黒く塗りつぶす領域を指定できるコマンドを設ける。
【００４０】
これにより、本実施の形態４に係る無線通信装置においては、アプリＣＰＵ１１０からのコマンドに応じてエンコーダ部２０３により、テレビ画面３０２の出力領域を指定することができるようになる。すなわち、本実施の形態４に係る無線通信装置では、ＣＰＵ（ＬＣＤ）バス上のコマンドを介するだけで、アプリＣＰＵ１１０に負荷をかけることなく、簡単にテレビ画面３０２の上下の数十ラインを黒く塗りつぶすことが可能となる。
【００４１】
従って、本実施の形態４に係る無線通信装置によれば、携帯電話装置のような表示画面上下の数十ラインにレイアウトされている重要情報（アンテナやキー割り当て情報）が画面切れを起こすという問題を解消することができる。
【００４２】
（実施の形態５）
次に、本発明の実施の形態５に係る無線通信装置について説明する。本実施の形態５に係る無線通信装置においては、アプリＣＰＵ１１０から入力される各種コマンドの内、テレビ出力画像の表示位置を、縦方向と横方向とに移動できるライン数を指定できるコマンドを設ける。
【００４３】
これにより、本実施の形態５に係る無線通信装置においては、アプリＣＰＵ１１０からのコマンドに応じて、補間部２０９により転送画像の表示位置を変更することができるようになる。すなわち、本実施の形態５に係る無銭通信装置においては、ＣＰＵ（ＬＣＤ）バス上のコマンドを介するだけで、アプリＣＰＵ１１０に負荷をかけることなく、簡単に転送画像（テレビ出力画像）の表示位置を上下の数十ライン移動することが可能となる。
【００４４】
従って、本実施の形態５に係る無線通信装置によれば、携帯電話装置のような表示画面上下の数十ラインにレイアウトされている重要情報（アンテナやキー割り当て情報）が画面切れを起こすという問題を解消することができる。
【００４５】
（実施の形態６）
次に、本発明の実施の形態６に係る無線通信装置について説明する。実施の形態３に係る無線通信装置おける最適な拡大率や、実施の形態５に係る無線通信装置おける最適な移動ライン数は、テレビジョン装置３００の機種に依存する値である。
【００４６】
そこで、本実施の形態６に係る無線通信装置では、テレビジョン装置３００の機種による画面サイズ情報をユーザーが使用するテレビジョン装置３００の品番を指定するだけでダウンロードできるようにして、前記拡大率や移動ライン数などの最適なパラーメータ値を自動的に設定できるようにする。
【００４７】
これにより、本実施の形態６に係る無線通信装置においては、実施の形態３に係る無線通信装置おける拡大率、および実施の形態５に係る無線通信装置おける移動ライン数を、ユーザーが手動で調節しなくても、ユーザーが使用するテレビジョン装置３００に合った最適値を取得できるようになり、拡大率や移動ライン数が最適なテレビ出力画像を出力することができるようになる。
【産業上の利用可能性】
【００４８】
本発明に係る無線通信装置は、表示画面を転送先表示装置に表示させる際に、ＣＰＵの処理負担を少なくでき、かつ安定して表示できるので、携帯電話装置などの無線通信装置として有用である。
【図面の簡単な説明】
【００４９】
【図１】本発明の実施の形態１に係る無線通信装置の構成を示すブロック図
【図２】本発明の実施の形態１に係る無線通信装置のビデオ出力ＬＳＩの構成を示すブロック図
【図３】本発明の実施の形態１に係る無線通信装置の表示画面サイズとテレビ出力画面サイズとの関係を示す図
【符号の説明】
【００５０】
１００  無線通信装置
１１０  アプリＣＰＵ
１２０  メモリ
１３０  ＬＣＤ
１４０  ビデオ出力ＬＳＩ専用メモリ
１５０  ビデオ出力ＬＳＩ
２０１  外部インターフェース部
２０２  画像変換部
２０３  エンコーダ部
２０４  ＤＡ変換部
２０５  ビデオアンプ部
２０６  タイミング生成部
２０７  制御部
２０８  電源部
２０９  補間部
２１０  メモリ制御部
３００  テレビジョン装置
３０１  ＡＶケーブル
３０２  テレビ画面
３０３  スペース
【図１】
2006067003.tif 000003
【図２】
2006067003.tif 000004
【図３】
2006067003.tif 000005